(57)【要約】【課題】録画した放送番組を再生する際、利用者にとって効率の良い再生を実現する記録再生装置及び記録再生方法を提供する。【解決手段】実施形態によれば、記録再生装置は、コンテンツを記録する記録手段と、記録された前記コンテンツを早送り再生または早戻し再生する際、前記コンテンツを所定の時間間隔で複数の分割画像に分割する画像分割手段と前記早送り再生または早戻し再生の速度に応じて画面に複数の表示領域を設定する表示領域設定手段と、前記表示領域に前記分割画像を表示する分割画像表示手段とを有する。【選択図】図１１
2015070579.tif 000002
【特許請求の範囲】
【請求項１】
コンテンツを記録する記録手段と、
記録された前記コンテンツを早送り再生または早戻し再生する際、前記コンテンツを所定の時間間隔で複数の分割画像に分割する画像分割手段と、
前記早送り再生または早戻し再生の速度に応じて画面に複数の表示領域を設定する表示領域設定手段と、
前記表示領域に前記分割画像を表示する分割画像表示手段と
を有する記録再生装置。
【請求項２】
前記早送り再生または早戻し再生の速度に応じて前記複数の分割画像の中から再生する前記分割画像を抽出する分割画像抽出手段と
を有する請求項１に記載された記録再生装置。
【請求項３】
前記表示領域設定手段は、再生速度により表示領域の個数を変化させる請求項１または請求項２に記載された記録再生装置。
【請求項４】
前記表示領域設定手段は、早送り再生または早戻し再生の速度を上げると表示領域の個数を増加させる請求項３に記載された記録再生装置。
【請求項５】
前記表示領域設定手段は、早送り再生または早戻し再生の速度がＮ倍速のときにＮ個の表示領域を設定する請求項１または請求項２に記載された記録再生装置。
【請求項６】
コンテンツを記録する記録ステップと、
記録された前記コンテンツを早送り再生または早戻し再生する際、前記コンテンツを所定の時間間隔で複数の分割画像に分割する画像分割ステップと、
前記早送り再生または早戻し再生の速度に応じて画面に複数の表示領域を設定する表示領域設定ステップと、
前記表示領域に前記分割画像を表示する分割画像表示ステップと
を有する記録再生方法。
【請求項７】
前記早送り再生または早戻し再生の速度に応じて前記複数の分割画像の中から再生する前記分割画像を抽出する分割画像抽出ステップと
を有する請求項６に記載された記録再生方法。
【請求項８】
前記表示領域設定ステップは、再生速度により表示領域の個数を変化させる請求項６または請求項７に記載された記録再生方法。
【請求項９】
前記表示領域設定ステップは、早送り再生または早戻し再生の速度を上げると表示領域の個数を増加させる請求項８に記載された記録再生方法。
【請求項１０】
前記表示領域設定ステップは、早送り再生または早戻し再生の速度がＮ倍速のときにＮ個の表示領域を設定する請求項６または請求項７に記載された記録再生方法。
【発明の詳細な説明】
【技術分野】
【０００１】
本発明の実施形態は、デジタル放送によって受信した番組を記録することが可能な記録再生装置及び記録再生方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、受信機のリモコンのボタンを押すだけで、当日あるいは１週間先までの番組表が表示され、放送時間や出演者など、番組内容の表示や知りたい情報の検索、番組の視聴予約や録画予約を簡単に行うことができる。
【０００３】
チャンネル数の増加に伴い、視聴者が視聴したい番組の放送時間が増大し、また放送時間が重複したりすることが起きるため、番組を録画して利用者の都合に合わせて番組を視聴する機会が増えてきた。録画した番組を再生する際の再生速度を適切に制御し、視聴者にとって効率の良い再生をする再生方法が提案されている。
【先行技術文献】
【特許文献】
【０００４】
【特許文献１】特開２００９−２７２７０７号公報
【発明の概要】
【発明が解決しようとする課題】
【０００５】
記録された多数の番組を視聴するとき早送り再生機能を利用する場合がある。早送り再生機能とは、通常の再生速度を１倍速とすると、１倍速より速い再生速度、例えば、２倍速や３倍速で再生する機能である。この機能を利用すると短時間で番組の内容を把握することができる。
【０００６】
しかしながら高速な早送り再生あるいは早戻し再生ではスキップされる画像の部分が増大し、利用者が見たいシーンが表示されないために見たいシーンを見逃してしまうことが多かった。このような場合は番組の内容をよく理解できないため再生速度を遅くしなければならず、早送り再生機能を利用するときに、視聴者にとって効率の良い再生ができないことになる。
【０００７】
本発明の目的は、上記したような事情に鑑み成されたものであって、記録した放送番組を再生する際、利用者にとって効率の良い再生を実現する記録再生装置及び記録再生方法を提供することである。
【課題を解決するための手段】
【０００８】
上記目的を達成するために、実施形態によれば、記録再生装置は、コンテンツを記録する記録手段と、記録された前記コンテンツを早送り再生または早戻し再生する際、前記コンテンツを所定の時間間隔で複数の分割画像に分割する画像分割手段と前記早送り再生または早戻し再生の速度に応じて画面に複数の表示領域を設定する表示領域設定手段と、前記表示領域に前記分割画像を表示する分割画像表示手段とを有する。
【図面の簡単な説明】
【０００９】
【図１】実施形態に係る記録再生装置の概観斜視図。
【図２】実施形態に係る記録再生装置の構成を示したブロック図。
【図３】実施形態に係わるリモコンの外観図。
【図４】実施形態に係わる再生制御部の構成を示したブロック図。
【図５】デコード処理部の内部の構成を示した図。
【図６】１個のコンテンツの映像信号の例を示した図。
【図７】２倍速再生するときに抽出される分割画像の例を示した図。
【図８】３倍速再生するときに抽出される分割画像の例を示した図。
【図９】４倍速再生するときに抽出される分割画像の例を示した図。
【図１０】本実施形態に係る２倍速再生において抽出される分割画像の例を示した図。
【図１１】本実施形態に係る２倍速再生において２個の表示領域が設定された例を示した図。
【図１２】本実施形態に係る２倍速再生において表示領域に表示された分割画像の例を示した図。
【図１３】本実施形態に係る３倍速再生において抽出される分割画像の例を示した図。
【図１４】本実施形態に係る３倍速再生において３個の表示領域が設定された例を示した図。
【図１５】本実施形態に係る３倍速再生において表示領域に表示された分割画像の例を示した図。
【図１６】本実施形態に係る４倍速再生において抽出される分割画像の例を示した図。
【図１７】本実施形態に係る４倍速再生において４個の表示領域が設定された例を示した図。
【図１８】本実施形態に係る４倍速再生において表示領域に表示された分割画像の例を示した図。
【図１９】早送り再生または早戻し再生処理の動作手順を示したフローチャート。
【発明を実施するための形態】
【００１０】
以下実施形態について図面を参照しながら説明する。図１は、実施形態に係る記録再生装置１の概観斜視図である。記録再生装置１は、デジタル放送を受信し、受信した放送番組の映像データ及び音声データの記録および再生が可能であって、画面に放送番組の映像を表示するデジタルテレビ、ＰＣ（Personal Computer）や携帯端末等の映像記録再生装置である。
【００１１】
記録再生装置１の実施形態として、録画機能を有するデジタルテレビを一例として説明する。記録再生装置１は、本体２と、本体２を支持するスタンド３を備えている。本体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１２】
本体２は、本体２の前面側と上面、底面、両側側面の一部を覆う前面カバー５と、本体２の背面側と上面、底面、両側側面の一部を覆う背面カバー６とによって外面が囲まれている。画面７は、表示パネル４の前面カバー５の窓部５ａの内側の表示部分である。
【００１３】
リモコン８は赤外線あるいはBluetooth（登録商標）等による無線通信を利用して、記録再生装置１の操作受信部へ操作信号を送る操作機器である。
【００１４】
図２は、実施形態に係る記録再生装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１５】
復調部１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理部１４に出力される。また、復調部１３は、ネットワーク送受信部３１を介してインターネット等のネットワーク３２から受信したＩＰ放送を復調する。
【００１６】
デコード処理部１４は、ＭＰＥＧデコーダ、映像音声デコーダ等の機能を有する。デコード処理部１４は、復調部１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１７】
また、デコード処理部１４は、記録装置２６から入力された映像データ及び音声データをデコードする。更に、デコード処理部１４は、外部装置３０から入力された映像データ及び音声データをデコードする機能を有する。
【００１８】
重畳処理部１５は、デコード処理部１４からの映像データと、バス２０を介して転送されるデータ放送やＧＵＩ（Graphical User Interface）情報によるウィンドー描画をプレーン管理して、映像データとの重ね合わせを行い、映像処理部１６に送る。
【００１９】
映像処理部１６は、表示装置１７で表示可能なフォーマット（画素数、フレーム周波数、走査方式）に変換したり、表示色を任意に調整したりして、表示装置１７に出力して映像を画面７に表示させる。
【００２０】
音声処理部１８は、デコード処理部１４から伝送されたデジタルの音声データを、スピーカ１９あるいはイヤホン（図示しない）で再生可能なアナログ音声信号に変換した後、スピーカ１９あるいはイヤホンに出力して音声を再生させる。なお、表示装置１７やスピーカ１９は記録再生装置１の外部にあってもよい。また、記録再生装置１と別の本体に納められていてもよい。
【００２１】
記録再生装置１は、上記した受信動作を含むその全ての動作を制御部２１によって統括的に制御されている。制御部２１はＭＰＵ（Micro Processing Unit）２２が搭載されており、バス２０を介して接続された各構成要素を制御する。
【００２２】
ＲＡＭ（Random Access Memory）２３は、制御部２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２３】
フラッシュメモリ２５は、書き換え可能であり、電源を切ってもデータが消えない不揮発性のメモリである。フラッシュメモリ２５は、利用者によって設定された記録再生装置１の機能及び動作に関する各種設定値を記憶する機能を有する。
【００２４】
記録装置２６は、ＨＤＤ（Hard Disk Drive）、ＳＳＤ（Solid State Drive）あるいはＯＤＤ（Optical Disc Drive）等を含む記録手段である。記録装置２６には、情報を記録再生するためのエンコーダとデコーダが搭載されており、該エンコーダとデコーダを介してＭＰＥＧ２−ＴＳデータが記録装置２６の記録再生形態に適したフォーマットに変調されＨＤＤ、ＳＳＤあるいはＯＤＤに記録され、また復調されて再生データとして出力される。この再生データは、デコード処理部１４でデコードされる。
【００２５】
操作受信部２７は、操作機器２８から送信される操作信号を受信し、制御部２１に転送する。操作機器２８は、例えば、赤外線あるいはBluetooth（登録商標）等による無線通信を利用したリモコン（リモートコントローラ、remote controller）８、有線式あるいは無線式キーボード等であり、操作信号を送出する。操作受信部２７は、これらリモコン８やキーボード等から操作信号を受信する。
【００２６】
外部インターフェース２９は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（登録商標）（High Definition Multimedia Interface）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部装置３０が接続される。外部装置端子２９ａは外部装置３０が接続される端子である。
【００２７】
記録再生装置１は、外部インターフェース２９を介して外部装置３０に放送番組を記録することができる。記録装置２６または外部装置３０のどちらに記録するかを利用者が選択できる。また、記録再生装置１は、外部装置３０に記録された映像または音声情報を再生することができる。
【００２８】
記録再生装置１は、ネットワーク送受信部３１を介してインターネット等のネットワーク３２に接続されている。これにより、記録再生装置１は、ネットワーク３２上にあるサーバ３３等の機器とネットワーク送受信部３１を介して情報伝送を行なうことができる。例えば、ＤＬＮＡ（Digital Living Network Alliance）ガイドラインに対応したサーバから映像コンテンツを受信することが可能である。ネットワーク端子３１ａはネットワーク３５が接続される端子である。ネットワーク送受信部３１とネットワーク３２の接続は有線だけでなく、例えば、ＩＥＥＥ８０２．１１シリーズの通信方式を用いた無線ＬＡＮ等の無線接続であってもよい。
【００２９】
図２において、制御部２１は、再生制御部３４の機能を有する。この機能は、制御部２１のＭＰＵ２２が実行するアプリケーションであり、通常はＲＯＭ２４に格納されており、使用時にはＭＰＵ２２によって読み出され実行される。再生制御部３４については後に記述する。
【００３０】
図３は、実施形態に係わるリモコン８の外観図である。リモコン８は赤外線あるいはBluetooth（登録商標）等による無線通信を利用して、記録再生装置１の操作受信部２７へ操作信号を送る。電源ボタン４０は、記録再生装置１の電源をオンまたはオフする。詳細には記録再生装置１を待機状態から動作状態、または動作状態から待機状態にするボタンである。放送波選択ボタン４１は、放送の種類を選択する操作ボタンである。
【００３１】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、番組を視聴するときのスピーカの音量を調整するボタンである。
【００３２】
カーソルボタン４５は画面７に表示されたＧＵＩ（Graphical User Interface）画面の各種の情報ウィンドー内のカーソルの移動や各種項目の選択ボタンの移動を行うためのボタンである。カーソルボタン４５は十字ボタン、方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面７上のボタンを実行するときに用いられる。
【００３３】
番組表ボタン４７は、番組表を画面７に表示するときに操作する専用の操作ボタンである。メニューボタン４８は、記録再生装置１に用意された各種の設定メニューを表示するときに押下するボタンである。利用者は、階層表示された複数の項目の中から目的の設定項目を、カーソルボタン４５を用いて選択する。戻るボタン４９は一つ前の操作段階の画面へ戻るときに使うボタンである。終了ボタン５０は、一連の操作を終了するときに操作するボタンである。
【００３４】
補助カーソルボタン５１は、画面７に表示された番組表のページや各種リストの切り換え、複数表示されたタブの切り換えなど、主に画面７に表示されたＧＵＩ画面を切り換えるときに使用される操作ボタンである。補助カーソルボタン５１ａは左方向、５１ｂは右方向、５１ｃは下方向あるいは次の画面、５１ｄは上方向あるいは前の画面を選択したり移動したりするときに操作する。
【００３５】
４色の色ボタン５２は、左から青ボタン５２ａ、赤ボタン５２ｂ、緑ボタン５２ｃ、黄ボタン５２ｄの順に配置されている。画面７上に色により区別された項目や色による選択の表示があるときに使用する。
【００３６】
記録装置操作ボタン５３は、記録装置２６や外部インターフェース２９を介して接続された外部装置３０に記録された番組を再生する際に操作するボタンである。再生ボタン５３ａ、停止ボタン５３ｂ、一時停止ボタン５３ｃ、早送り再生ボタン５３ｄ、早戻し再生ボタン５３ｅ、次番組スキップボタン５３ｆ、先頭戻り・前番組スキップボタン５３ｇが配置されている。
【００３７】
図４は、実施形態に係わる再生制御部３４の構成を示したブロック図である。再生制御部３４は、画像分割部６０、分割画像抽出部６１、表示領域設定部６２、分割画像表示部６３の機能を有する。
【００３８】
画像分割部６０は、記録されたコンテンツを早送り再生または早戻し再生する際、コンテンツを所定の時間間隔で複数の分割画像に分割処理する機能を有する。例えば、連続した画像を１秒間隔、２秒間隔あるいは数秒間隔で分割する。またＭＰＥＧ−２画像信号を所定のフレーム数（例えば、１５フレームあるいは３０フレーム）で分割してもよい。
【００３９】
分割画像抽出部６１は、早送り再生または早戻し再生の速度に応じて複数の分割画像の中から再生する分割画像を抽出処理する機能を有する。
【００４０】
表示領域設定部６２は、早送り再生または早戻し再生の速度に応じて画面７に複数の表示領域を設定する。表示領域設定部６２は、再生速度により表示領域の個数を変化させる。表示領域設定部６２は、早送り再生または早戻し再生の速度を上げると表示領域の個数を増加させる。表示領域設定部６２は、早送り再生または早戻し再生の速度がＮ（Ｎは自然数）倍速のときにＮ個の表示領域を設定する。
【００４１】
分割画像表示部６３は、設定された表示領域に分割画像を表示する。
【００４２】
図５は、デコード処理部１４の内部の構成を示した図である。デコード処理部１４は、複数のデコードユニットから構成されており、例えば図５に示したようにｎ個のデコードユニットを搭載している。記録装置２６に記録されたコンテンツの映像データをｎ個のデコードユニット（デコードユニット１〜デコードユニットｎ）でデコードすることによって同時にｎ個の異なるシーンをデコードすることが可能となる。
【００４３】
図６は、１個のコンテンツの映像信号６４の例を示した図である。所定の時間間隔で複数の分割画像に分割処理された状態を示す。例えば、全体の時間が１７秒の映像信号について、所定の時間間隔を１秒とした場合、１個のシーンの長さが１秒である１７個の分割画像に分割処理される。この処理は、画像分割部６０が、記録されたコンテンツを早送り再生または早戻し再生する際に実行する。図６においては、１７個の分割画像にシーンの番号（Ｓ１からＳ１７）が記されている。
【００４４】
図７は、２倍速再生するときに抽出される分割画像の例を示した図である。分割画像抽出部６１は、２倍速の早送り再生するときに、映像信号６５のような分割画像を抽出する。分割画像Ｓ１、Ｓ３、Ｓ５、Ｓ７、Ｓ９、Ｓ１１、Ｓ１３、Ｓ１５、Ｓ１７が抽出され、分割画像Ｓ２、Ｓ４、Ｓ６、Ｓ８、Ｓ１０、Ｓ１２、Ｓ１４、Ｓ１６がスキップされた状態を示す。
【００４５】
図８は、３倍速再生するときに抽出される分割画像の例を示した図である。分割画像抽出部６１は、３倍速の早送り再生するときに、映像信号６６のような分割画像を抽出する。分割画像Ｓ１、Ｓ５、Ｓ９、Ｓ１３、Ｓ１７が抽出され、分割画像Ｓ２、Ｓ３、Ｓ４、ＳＳ６、Ｓ７、Ｓ８、Ｓ１０、Ｓ１１、Ｓ１２、Ｓ１４、Ｓ１５、Ｓ１６がスキップされた状態を示す。
【００４６】
図９は、４倍速再生するときに抽出される分割画像の例を示した図である。分割画像抽出部６１は、４倍速の早送り再生するときに、映像信号６７のような分割画像を抽出する。分割画像Ｓ１、Ｓ９、Ｓ１７が抽出され、分割画像Ｓ２、Ｓ３、Ｓ４、Ｓ５、Ｓ６、Ｓ７、Ｓ８、Ｓ１０、Ｓ１１、Ｓ１２、Ｓ１３、Ｓ１４、Ｓ１５、Ｓ１６がスキップされた状態を示す。
【００４７】
図７から図９に示した２倍速、３倍速、４倍速において画面に表示される分割画像はスキップされる分割画像があるため、利用者が特定のシーンを見逃す可能性がある。
【００４８】
図１０は、本実施形態に係る２倍速再生において抽出される分割画像の例を示した図である。図１１は、本実施形態に係る２倍速再生において２個の表示領域が設定された例を示した図である。図１２は、本実施形態に係る２倍速再生において表示領域に表示された分割画像の例を示した図である。
【００４９】
図１０においては、２倍速再生において、画面７の内部に表示領域１と表示領域２が設定され、それぞれの表示領域に表示される分割画像の番号が示されている。×印で示された部分は非表示であることを示す。
【００５０】
２倍速再生においては、表示領域設定部６２は、図１１に示すように画面７に表示領域を２個設定する。画面７には非表示領域も設定される場合もある。図１１においては、画面７の上下方向についてその中央部に表示領域１と表示領域２を横に並べて設定しているが、これに限るものではなく、画面７の上部に沿って横に並べて配置したり、斜め方向の対角位置に配置したりしてもよい。非表示領域は、黒画面でもよい。
【００５１】
表示領域１には、図７で示した２倍速再生の分割画像Ｓ１、Ｓ３、Ｓ５、Ｓ７、Ｓ９、Ｓ１１、Ｓ１３、Ｓ１５、Ｓ１７が表示される。表示領域２には、分割画像１から順に分割画像１４まで表示される。表示領域１については、分割画像Ｓ１７の表示後に１個の分割画像分だけ非表示とし、その後に分割画像Ｓ１５、Ｓ１６、Ｓ１７を表示する。このようにすることによって全ての分割画像Ｓ１からＳ１７を表示することができる。
【００５２】
図１２（ａ）から（ｎ）は、（ａ）から（ｎ）の順番に２個の表示領域に分割画像Ｓ１からＳ１７までが表示される様子を示している。この表示の順番は図１０に示した分割画像の表示の例に基づいている。網掛けが表示された表示領域は、分割画像が非表示であることを示す。
【００５３】
記録されたコンテンツを早送り再生または早戻し再生する際は、コンテンツを通常状態あるいは１倍速で再生しているときに、リモコン８の早送り再生ボタン５３ｄ、早戻し再生ボタン５３ｅを押下する。１回押下すると２倍速、更に１回押下すると３倍速、更に１回押下すると４倍速となる。画面７の右下に倍速表示の値を表示するようにしてもよい。再生ボタン５３ａを押下すると１倍速再生に戻る。
【００５４】
このように表示することによって、スキップされる画像が無くなり、早送り再生しても全ての分割画像の再生が可能となり、利用者がシーンを見逃すことを回避する効果が期待でき、利用者にとって効率の良い再生を実現することができる。
【００５５】
図１３は、本実施形態に係る３倍速再生において抽出される分割画像の例を示した図である。図１４は、本実施形態に係る３倍速再生において３個の表示領域が設定された例を示した図である。図１５は、本実施形態に係る３倍速再生において表示領域に表示された分割画像の例を示した図である。
【００５６】
図１３においては、３倍速再生において、画面７の内部に表示領域１、表示領域２と表示領域３が設定され、それぞれの表示領域に表示される分割画像の番号が示されている。×印で示された部分は非表示であることを示す。
【００５７】
３倍速再生においては、表示領域設定部６２は、図１４に示すように画面７に表示領域を３個設定する。画面７には非表示領域も設定される場合もある。図１４においては、画面７の上部に沿って表示領域１と表示領域２が横に並べて設定され、画面７の下部に沿って中央部に表示領域３が設定されている。表示領域の設定はこれに限るものではなく、例えば、表示領域３を画面７の下部に沿って画面７の左側あるいは右側に配置してもよい。非表示領域は、黒画面でもよい。
【００５８】
表示領域１には、図８で示した３倍速再生の分割画像Ｓ１、Ｓ５、Ｓ９、Ｓ１３、Ｓ１７が表示される。表示領域２には、分割画像１から順に分割画像１０まで表示される。表示領域３には、５個の分割画像分だけ非表示とされ、その後に分割画像Ｓ１１、Ｓ１２、Ｓ１３、Ｓ１４、Ｓ１５が表示される。表示領域１については、分割画像Ｓ１７の後に１個の分割画像分だけ非表示とされ、その後に分割画像Ｓ１６、Ｓ１７が表示される。このようにすることによって全ての分割画像Ｓ１からＳ１７を表示することができる。
【００５９】
図１５（ａ）から（ｊ）は、（ａ）から（ｊ）の順番に３個の表示領域に分割画像Ｓ１からＳ１７までが表示される様子を示している。この表示の順番は図１３に示した分割画像の表示の例に基づいている。
【００６０】
図１６は、本実施形態に係る４倍速再生において抽出される分割画像の例を示した図である。図１７は、本実施形態に係る４倍速再生において４個の表示領域が設定された例を示した図である。図１８は、本実施形態に係る４倍速再生において表示領域に表示された分割画像の例を示した図である。
【００６１】
図１６においては、４倍速再生において、画面７の内部に表示領域１、表示領域２、表示領域３と表示領域４が設定され、それぞれの表示領域に表示される分割画像の番号が示されている。×印で示された部分は非表示であることを示す。
【００６２】
４倍速再生においては、表示領域設定部６２は、図１７に示すように画面７に表示領域を４個設定する。画面７には非表示領域も設定される場合もある。図１７においては、画面７の上部に沿って表示領域１と表示領域２が横に並べて設定され、画面７の下部に沿って表示領域３と表示領域４が横に並べて設定されている。表示領域の設定はこれに限るものではない。
【００６３】
表示領域１には、図９で示した４倍速再生の分割画像Ｓ１、Ｓ９、Ｓ１７が表示される。表示領域２には、分割画像１から順に分割画像７まで表示される。表示領域３には、３個の分割画像分だけ非表示としその後に分割画像Ｓ８、Ｓ９、Ｓ１０、Ｓ１１が表示される。表示領域４には、３個の分割画像分だけ非表示としその後に分割画像Ｓ１２、Ｓ１３、Ｓ１４、Ｓ１５が表示される。表示領域１については、分割画像Ｓ１７の後に１個の分割画像分だけ非表示とされ、その後に分割画像Ｓ１６、Ｓ１７が表示される。このようにすることによって全ての分割画像Ｓ１からＳ１７を表示することができる。
【００６４】
図１８（ａ）から（ｇ）は、（ａ）から（ｇ）の順番に４個の表示領域に分割画像Ｓ１からＳ１７までが表示される様子を示している。この表示の順番は図１６に示した分割画像の表示の例に基づいている。
【００６５】
図１９は、早送り再生または早戻し再生処理の動作手順を示したフローチャートである。Ｆ１１において、再生制御部３４は、早送りまたは早戻し再生のボタンが押下されたかを判定する。利用者がリモコン８の早送り再生ボタン５３ｄまたは早戻し再生ボタン５３ｅを押下したかを判定する。押下されたならば、Ｆ１２に移る。
【００６６】
Ｆ１２において、画像分割部６０がコンテンツを所定の時間間隔で複数の分割画像に分割処理する。Ｆ１３において、分割画像抽出部６１が早送り再生または早戻し再生の速度に応じて複数の分割画像の中から再生する分割画像を抽出処理する。
【００６７】
Ｆ１４において、表示領域設定部６２が早送り再生または早戻し再生の速度に応じて画面７に複数の表示領域を設定する。Ｆ１５において、分割画像表示部６３が設定された表示領域に分割画像を表示して終了する。
【００６８】
以上のように、利用者が早送り再生または早戻し再生する際、画像分割部６０によって
コンテンツを所定の時間間隔で複数の分割画像に分割処理し、分割画像抽出部６１によって早送り再生または早戻し再生の速度に応じて複数の分割画像の中から再生する分割画像を抽出処理し、表示領域設定部６２によって早送り再生または早戻し再生の速度に応じて画面７に複数の表示領域を設定し、例えば、早送り再生または早戻し再生の速度がＮ倍速のときにＮ個の表示領域を設定し、分割画像表示部６３によって、設定された表示領域に分割画像を表示するようにすることによって、早送り再生または早戻し再生してもスキップされる画像が無くなり、全ての分割画像の再生が可能となり、利用者がシーンを見逃すことを回避することができ、利用者にとって効率の良い再生を実現することができる。
【００６９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００７０】
１…記録再生装置、７…画面、８…リモコン、１４…デコード処理部、１５…重畳処理部、１６…映像処理部、１７…表示装置、２１…制御部、２２…ＭＰＵ、２３…ＲＡＭ、２４…ＲＯＭ、２５…フラッシュメモリ、２６…記録装置、２７…操作受信部、２８…操作機器、２９…外部インターフェース、３０…外部装置、３１…ネットワーク送受信部、３２…ネットワーク、３３…サーバ、３４…再生制御部、４５ａ、４５ｂ、４５ｃ、４５ｄ…カーソルボタン、４６…決定ボタン、４８…メニューボタン、５３ａ…再生ボタン、５３ｂ…停止ボタン、５３ｄ…早送りボタン、５３ｅ…早戻しボタン、６０…画像分割部、６１…分割画像抽出部、６２…表示領域設定部、６３…分割画像表示部、６４、６５、６６、６７、６８、６９、７０…映像信号。
【図１】
2015070579.tif 000003
【図２】
2015070579.tif 000004
【図３】
2015070579.tif 000005
【図４】
2015070579.tif 000006
【図５】
2015070579.tif 000007
【図６】
2015070579.tif 000008
【図７】
2015070579.tif 000009
【図８】
2015070579.tif 000010
【図９】
2015070579.tif 000011
【図１０】
2015070579.tif 000012
【図１１】
2015070579.tif 000013
【図１２】
2015070579.tif 000014
【図１３】
2015070579.tif 000015
【図１４】
2015070579.tif 000016
【図１５】
2015070579.tif 000017
【図１６】
2015070579.tif 000018
【図１７】
2015070579.tif 000019
【図１８】
2015070579.tif 000020
【図１９】
2015070579.tif 000021